(57)【要約】【課題】この発明は、住宅などの建築物に使用される内装材又は家具・デッキ材・木製道路標識・木製ガイドレールの外部構造材に使用される発光性及び蓄光性機能を具備する複合パネルに関するものである。【解決手段】複合パネル１０の成形において、複数の単板１１ａを積層して構成する合板，平行合板，集成材の加工時に、前記積層単板１１ａの積層間の所定位置に接着剤１２を介して、発光性顔料及び蓄光性蛍光体１３を混入して形成した発光・蓄光性樹脂パネル１４を介在させて重合すると共に、前記積層合板１１の上，下面を除く側周面１６及び木口面１７を上，下面１６ａ，１６ｂ、１７ａ，１７ｂとして使用できるように切断加工した。【選択図】図２
2004249644.tif 000002
【特許請求の範囲】
【請求項１】
複数の単板を積層して構成する合板，平行合板，集成材の加工において、前記積層単板の積層間所定位置に接着剤を介して、発光性顔料及び蓄光性蛍光体を混入形成した発光性・蓄光性樹脂パネルを介在させて重合すると共に、前記積層合板の上，下面を除く側周面部或いは木口面部を上，下面として使用できるように切断加工したものであることを特徴とする発光性及び蓄光性機能を具備する複合パネル。
【請求項２】
前記複数の単板を積層して構成する合板は、無垢板・集成材無垢板・スライス単板・人工木材・ＭＤＦ〔木質繊維板〕・パーティクルボード・合板・石膏ボード・発泡ウレタンシート・アルミ箔シート等の材料から選択されたものであることを特徴とする請求項１に記載の発光性及び蓄光性機能を具備する複合パネル。
【請求項３】
前記発光性・蓄光性樹脂パネルは、ポリエチレン・テレフタート、エチレン・酢酸ビニル共重合樹脂（ＥＶＡ）、アクリル樹脂、ポリアミド樹脂（ナイロン）等の材料の中から選択された樹脂材料中に、発光性顔料及び酸化アルミ、酸化ストロンチームなどのセラミック系蓄光性蛍光体、硫化亜鉛系蓄光性蛍光体等から選択されたいずれかの蓄光性無機蓄光物質を最小１重量％〜最大７０重量％の割合で混入して形成したものであることを特徴とする請求項１に記載の発光性及び蓄光性機能を具備する複合パネル。
【請求項４】
前記発光性・蓄光性樹脂パネルは、前記積層単板の隣接間の交互位置に、介在されるようになっている請求項１記載の発光性及び蓄光性機能を具備する複合パネル。
【請求項５】
前記発光性・蓄光性樹脂パネルは、前記積層単板の複数枚ごとの交互位置に、介在されるようになっている請求項１記載の発光性及び蓄光性機能を具備する複合パネル。
【請求項６】
前記単板接合接着剤中には、遠赤外線効果・マイナスイオン発生効果・電磁波を収着する効果を有する石英斑岩、花崗斑岩，トルマリン、ゼオライトなどの微粉末を混入したものであることを特徴する請求項１記載の発光性及び蓄光性機能を具備する複合パネル。
【発明の詳細な説明】
【０００１】
【発明の属する技術分野  】
この発明は、住宅などの建築物に使用される内装材又は家具・デッキ材・木製道路標識・木製ガイドレールの外部構造材に使用される発光性及び蓄光性機能を具備する複合パネルに関するものである。
【０００２】
【従来の技術】
従来の内装材、家具関係等の設備資材あるいは外部構造材に使用されている発光性及び蓄光性機能を有する建材としては、発光性顔料及び蓄光性蛍光体の粉末が混入された塗料を使用して木材の表面に塗装し、木材の塗装表面を夜間の暗闇時に発光させるようにしているのが主流である。
また、着色合成樹脂部に発光性顔料及び蓄光性蛍光体含有の合成樹脂部が一体に形成された「発光性表示プレート、階段用段差表示材及び幅木材」が先に提案されている。
【特許文献】
特開２００２−８２６３８号公報
【０００３】
【発明が解決しようとする課題】
しかるに、前述のように塗料中に発光性顔料及び蓄光性蛍光体を混入したものにあっては、接着剤・塗料等には一般的に有機溶剤が含まれており、有機溶剤から揮発発散される際、ＶＯＣ（ｖｏｌａｔｉｌｅ  ｏｒｇａｎｉｃ  ｃｏｍｐｏｕｎｄ）と呼ばれるホルムアルデヒド・トルエン・キシレン・バラクロベンゼン等に代表される有機化合物の有害物質が発生することにより、人体に悪影響を及ぼし、シックハウス症候群に代表される種々の症状が、社会的な環境問題を惹起している。
【０００４】
また、前記ＶＯＣの発生を抑えるために水生の塗料が使用されるが、これについても問題がある。即ち、蓄光性蛍光体は通常セラミック系材料が主流であるが、蓄光性蛍光体を水生塗料に混入させると、塗料に含まれている水分と蓄光性蛍光体が反応して加水分解が起こり、蓄光性蛍光体の劣化を引き起こし、その結果、製品の耐久年数が１年〜２年と極めて短い原因となっている。
また、特に蓄光性蛍光体が混入された塗料が外気に晒されると大気中の水分のほかに紫外線によっても劣化が促進され、通常１年〜２年ごとの再塗装などのメンテナンスが必要となるなどの問題点がある。
【０００５】
さらにまた、前記特許公開公報に記載された発明にあっては、着色合成樹脂部と発光性顔料及び蓄光性蛍光体含有の合成樹脂部を、階段用段差表示材に形成した凹部に埋め込む形式の全体構成が開示されているが、使用部材はすべて樹脂部材によって構成されているものであり、製品に木材のような柔らかさ高級感を持たせることができないと共に、経年変化あるいは長年の使用による剥離損傷等によりその機能を失ってしまうという問題点がある。
【０００６】
【発明が解決しようとする課題】
この発明は、前述した問題点を解決することを目的とし、発光性顔料及び蓄光性蛍光体を樹脂材中に混入して発光性及び蓄光性機能を有する平板状の樹脂パネルを形成し、この樹脂パネルと木材単板とを接着剤を介して積層して積層合板を形成し、該合板の側周面部或いは木口面部が上，下面として使用できるように切断して発光性・蓄光性を有する複合パネルを得るようにしたものであり、複合パネルに使用した発光性・蓄光性樹脂パネルは、樹脂成分中に発光性顔料及び蓄光性蛍光体が混在した状態で形成されるため、蓄光性蛍光体が樹脂成分に保護されることで、水分や紫外線から確実に保護され、使用パネルの耐用年数を大幅に延長できる。
【０００７】
また、大断面の構造木材に発光性・蓄光性機能を付加させるには集成材の間に前記発光性・蓄光性樹脂パネルを挟持させて構造材を形成することにより、複合パネルの発光性・蓄光性樹脂パネル部分が夜間等に発光する意匠的に優れた種々なデザインの構造材を提供できる。
【０００８】
また、前記複合パネルを形成する時に使用する単板接合接着剤中に遠赤外線効果・マイナスイオン発生効果・電磁波を収着する効果を有する石英斑岩、花崗斑岩，トルマリン、ゼオライトなどの微粉末を混入することで、シックハウス症候群・アトピーアレルギー等に対応し、人体に優しい住み良い住宅環境を作り出すことができる複合パネルを提供できる。
【０００９】
【問題を解決するための手段】
請求項１の発明に係わる発光性及び蓄光性機能を具備する複合パネルは、複数の単板を積層して構成する合板，平行合板，集成材の加工時に、前記積層単板の積層間所定位置に接着剤を介して、発光性顔料及び蓄光性蛍光体を混入形成した発光性・蓄光性樹脂パネルを介在させて重合すると共に、前記積層合板の上，下面を除く側周面部或いは木口面部を上，下面として使用できるように切断加工したものであることを特徴とする。
【００１０】
請求項２の発明は、請求項１に記載した発光性及び蓄光性機能を具備する複合パネルにおいて、前記複数の単板を積層して構成する合板は、無垢板・集成材無垢板・スライス単板・人工木材・ＭＤＦ〔木質繊維板〕・パーティクルボード・合板・石膏ボード・発泡ウレタンシート・アルミ箔シート等の材料から選択されたものであることを特徴とする。
【００１１】
請求項３の発明は、請求項１に記載した発光性及び蓄光性機能を具備する複合パネルにおいて、前記発光性・蓄光性樹脂パネルは、ポリエチレン・テレフタート、エチレン・酢酸ビニル共重合樹脂（ＥＶＡ）、アクリル樹脂、ポリアミド樹脂（ナイロン）との材料から選択された樹脂材料中に、発光性顔料及び酸化アルミ、酸化ストロンチームなどのセラミック系蓄光性蛍光体、硫化亜鉛系蓄光性蛍光体等から選択されたいずれかの蓄光性無機蓄光物質を最小１重量％〜最大７０重量％の割合で混入して形成したものであることを特徴とする。
【００１２】
請求項４の発明は、請求項１記載の発光性及び蓄光性機能を具備する複合パネルにおいて、前記発光性・蓄光性樹脂パネルは、前記積層単板の隣接間の交互位置に、介在されるようになっていることを特徴とする。
【００１３】
請求項５の発明は、請求項１記載の発光性及び蓄光性機能を具備する複合パネルにおいて、前記発光性・蓄光性樹脂パネルは、前記積層単板の複数枚ごとの交互位置に、介在されるようになっていることを特徴とする。
【００１４】
請求項６の発明は、請求項１記載の発光性及び蓄光性機能を具備する複合パネルにおいて、前記単板接合接着剤中には、遠赤外線効果・マイナスイオン発生効果・電磁波を収着する効果を有する石英斑岩、花崗斑岩，トルマリン、ゼオライトなどの微粉末を混入したものであることを特徴する。
【００１５】
【発明の実施形態】
以下、この発明の実施形態について図を参照しながら説明する。
図１は、平行合板を用いた発光性及び蓄光性機能を具備する複合パネルを形成する一実施形態を示す斜視図である。
【００１６】
図中１０は、複合パネルであって、該複合パネル１０は、平行合板１１の単板１１ａの表面に接着剤１２を均一に塗布した単板１１ａを複数枚積層すると共に、各単板１１ａ間の１枚毎、或いは２枚毎・３枚毎等の複数枚ごとの所望位置に発光性顔料及び蓄光性蛍光体１３を混入して形成した発光性・蓄光性樹脂パネル１４を挟持させて図示しないコールドプレス機などにより加圧接着したものである。
なお、前記接着剤中には、遠赤外線効果・マイナスイオン発生効果・電磁波を収着する効果を有する石英斑岩、花崗斑岩，トルマリン、ゼオライトなどの微粉末を混入することで、シックハウス症候群・アトピーアレルギー等に対応し、人体に優しい住み良い住宅環境を作り出すことができる複合パネルを提供できる。
【００１７】
前記発光性・蓄光性樹脂パネル１４は、合成樹脂材料に着色材及び充填材等を添加配合してなるものである。
前記複数の単板１１ａを積層して構成する合板１１は、無垢板・集成材無垢板・スライス単板・人工木材・ＭＤＦ〔木質繊維板〕・パーティクルボード・合板・石膏ボード・発泡ウレタンシート・アルミ箔シート等の材料から選択されると共に、前記発光性・蓄光性樹脂パネル１４は、ポリエチレン・テレフタート、エチレン・酢酸ビニル共重合樹脂（ＥＶＡ）、アクリル樹脂、ポリアミド樹脂（ナイロン）等の材料の中から選択された樹脂材料に、発光性顔料及び酸化アルミ、酸化ストロンチームなどのセラミック系蓄光性蛍光体、硫化亜鉛系蓄光性蛍光体等から選択されたいずれかの蓄光性無機蓄光物質を最小１重量％〜最大７０重量％の割合で混入して形成したものである。
【００１８】
前記樹脂材料としては、例えば、アクリル樹脂、ポリエチレン・テレフタート、ポリアミド樹脂、エチレン・酢酸ビニール共重合樹脂（ＥＶＡ）等が挙げられる。
また、着色剤は、例えばアルミウム粉、ブロンズ粉等の金属粉類、カーボンブラック等の炭素類、酸化チタン、亜鉛華，べんがら等の酸化物類、紺青等のフェロシアン化合物類等の無機顔料、レーキレッドＣ等のアゾ顔料、アジン顔料類、蛍光顔料類等の有機顔料及び塩基性染料が挙げられ、これらの単独又は２種以上の組み合わせで使用される。
【００１９】
さらに、充填剤としては、例えば、炭酸カルシウム、炭酸バリウム、タルク、硫酸バリウム、硫酸カルシウム、ケイ酸アルミニウム、水酸化マグネシウム、水酸化マグネシウム等が挙げられ、これらの単独又は２種以上の組み合わせで使用される。
【００２０】
樹脂パネルは、前記各成分の他に必要に応じて、通常用いられる可塑剤，安定剤の各種の添加剤を配合することもできる。本発明を構成する発光性・蓄光性樹脂パネル１４は、前記記載の成分より選択した合成樹脂，着色剤及び充填剤等の各成分を混合機（図示せず）によって混合した後、成型押出機により押出成形により形成することができる。
【００２１】
なお、前記発光性・蓄光性樹脂パネル１４は、厚みが０．２ミリ〜１００ミリのものが形成され、積層単板１１ａの板厚に比べ、薄いもの、同等のもの、幅広のものを用意し、使用目的によって、適宜選択使用する。
また、前記発光性・蓄光性樹脂パネル１４は、使用目的に応じて、隣接する積層単板１１ａ間に、あるいは２枚毎の複数枚ごと以上の複数単板１１ａ間にそれぞれ挟持して積層接合したものを適宜使用できる。
【００２２】
次に第２工程として前記加工した複合パネル１０を利用形態に応じて、図２に示すように複合パネル１０の側周面部１６が上，下面１６ａ，１６ｂとなるように使用厚さに切断したり、または、図３に示すように複合パネル１０の木口面部１７を上，下面１７ａ，１７ｂとなるように使用厚さに切断し、住宅などの建築物に使用される内装材又は家具材用に、或いは図４に示すように丸材１８に削り出し、発光性・蓄光性樹脂パネル１４を積層したデッキ材・木製道路標識・木製ガイドレール等の外部構造材に使用が可能である。
【００２３】
前記構成の複合パネル１０によれば、樹脂成分中に発光顔料及び蓄光性蛍光体が混在した状態で、樹脂パネルが形成されるため、蓄光性蛍光体が樹脂成分に保護されることで、水分や紫外線から保護され、使用パネルの耐用年数を大幅に長くできる。
【００２４】
また、大断面の構造木材に発光性・蓄光性機能を付加させるには集成材の間に前記発光性・蓄光性樹脂パネルを挟持させて構造材を形成することにより、発光性・蓄光性樹脂パネルが夜間等に発光する意匠的に優れた種々なデザインの構造材を提供できる。
また、上記実施の貼り合せ状態においては、自然乾燥接着も可能であり、乾燥炉の代用としてホットプレスを使用し加熱・加圧接着することも可能である。
【００２５】
【発明の効果】
以上説明したように、本発明の発光性及び蓄光性機能を具備する複合パネルによれば、複数の単板を積層して構成する合板，平行合板，集成材の加工時に、前記積層単板の積層位置に接着剤を介して、発光性顔料及び蓄光性蛍光体を混入して形成した発光性・蓄光性樹脂パネルを介在させて重合すると共に、前記積層合板の上，下面を除く側周面部あるいは木口面部を上，下面として使用できるように切断加工したものであるから、樹脂成分中に発光顔料及び蓄光性蛍光体が混在した状態で樹脂パネルが形成されるため、蓄光性蛍光体が樹脂成分に保護されることで、水分や紫外線から保護され、使用パネルの耐用年数を大幅に長くできる。
【００２６】
また、大断面の構造木材に発光性・蓄光性機能を付加させるには集成材の間に前記発光性・蓄光性樹脂パネルを挟持させて構造材を形成することにより、発光性・蓄光性樹脂パネル部が夜間等に発光する意匠的に優れた種々なデザインの構造材を提供できる。
【００２７】
さらにまた、複合パネルを重合するために使用される接着剤には、遠赤外線効果・マイナスイオン発生効果・電磁波を収着する効果を有する石英斑岩、花崗斑岩，トルマリン、ゼオライトなどの微粉末を混入することにより、シックハウス症候群・アトピーアレルギー等に対応し、人体に優しい住み良い住宅環境を作り出すことができる複合パネルを提供できる。
【図面の簡単な説明】
【図１】この発明の発光性及び蓄光性機能を具備した複合パネルを形成する形成過程の一実施形態を示す斜視図。
【図２】この発明の発光性及び蓄光性機能を具備した複合パネルを形成する形成過程の一実施形態を示し、平行合板の側面を所望厚さに切断した状態の斜視図、
【図３】この発明の発光性及び蓄光性機能を具備した複合パネルを形成するための形成過程を示し、平行合板の木口面を所望厚さに切断した状態の斜視図。
【図４】この発明の発光性及び蓄光性機能を具備した複合パネルの変形例を示す斜視図。
【符号の簡単な説明】
１０      複合パネル
１１      平行合板
１１ａ    平行単板
１２      接着剤
１４      発光性及び蓄光性樹脂パネル
１６      側周面
１７      木口面
１７ａ，１７ｂ    上，下面
１８      丸材
【図１】
2004249644.tif 000003
【図２】
2004249644.tif 000004
【図３】
2004249644.tif 000005
【図４】
2004249644.tif 000006